(57)【要約】【課題】交流減衰信号を発生する交流信号源の電源容量を低減しつつ、複数の電流センサを構成する磁気コアを消磁する。【解決手段】対応する電線Ｌａ〜Ｌｃをそれぞれ内包した状態で各電線Ｌａ〜Ｌｃに装着される磁気コア２１を有する複数の電流センサ１１ａ〜１１ｃの各磁気コア２１に巻回された消磁コイルとして機能する帰還コイル２５と、入力する開始信号Ｓｔａ〜Ｓｔｃをトリガとして同じ周期の交流減衰信号Ｓｓａ〜Ｓｓｃの生成を開始すると共に、対応付けられた電流センサ１１ａ〜１１ｃの帰還コイル２５に出力する複数の交流信号源３１ａ〜３１ｃと、各交流信号源３１ａ〜３１ｃに対して交流減衰信号Ｓｓａ〜Ｓｓｃの生成を開始させるための各開始信号Ｓｔａ〜Ｓｔｃを交流減衰信号Ｓｓの周期の１周期分に相当する時間内にタイミングをずらして出力する開始信号出力回路３２とを備えている。【選択図】図１
2014178307.tif 000002
【特許請求の範囲】
【請求項１】
対応する測定電路をそれぞれ内包した状態で当該測定電路に装着される磁気コアを有する複数の電流センサの前記各磁気コアに巻回された消磁コイルと、
入力する開始信号をトリガとして同じ周期の交流減衰信号の生成を開始すると共に、対応付けられた前記電流センサの前記消磁コイルに出力する複数の交流信号源と、
前記複数の交流信号源に対して前記交流減衰信号の生成を開始させるための複数の前記開始信号を前記周期の１周期分に相当する時間内にタイミングをずらして出力する開始信号出力回路とを備えている消磁回路。
【請求項２】
前記開始信号出力回路は、前記複数の交流信号源から出力される前記交流減衰信号のピークがいずれも揃わないように複数の前記開始信号を出力する請求項１記載の消磁回路。
【請求項３】
請求項１または２記載の消磁回路と、
前記対応する測定電路に流れる電流の電流値に比例して電圧値が変化する電圧信号を生成して出力する前記複数の電流センサと、
前記複数の電流センサで検出された前記電圧信号に基づいて、前記各測定電路に流れる電流の電流値を算出する電流算出回路とを備えている電流測定装置。
【請求項４】
請求項３記載の電流測定装置と、
前記複数の測定電路についての電圧を測定する電圧測定装置と、
前記電流測定装置で測定された前記各測定電路に流れる電流と前記電圧測定装置で測定された前記各測定電路についての電圧とに基づいて当該各測定電路を介して供給される電力を算出する電力算出回路とを備えている電力測定装置。
【発明の詳細な説明】
【技術分野】
【０００１】
本発明は、例えば、電流測定装置の電流センサを構成する磁気コアを消磁する消磁回路、この消磁回路を備えた電流測定装置、およびこの電流測定装置を備えた電力測定装置に関するものである。
【背景技術】
【０００２】
この種の消磁回路として、下記特許文献１において開示されている消磁回路が知られている。この消磁回路は、開閉可能であって被測定導体を内包し得る一対の磁気コアと、この磁気コア内に発生する磁束を電気信号として検出する磁電変換部と、この磁電変換部からの検出信号を増幅する増幅器と、この増幅器の出力側と出力抵抗を含む出力端子との間において上記の磁気コアに巻回された帰還コイルとを備え、磁電変換部の検出信号を増幅器にて増幅し、帰還コイルを介して磁気コアに負帰還させることにより、被測定導体の電流を検出する零磁束制御型電流センサに組み込まれている回路であり、増幅器および帰還コイルを含む負帰還動作ループを閉ループおよび開ループのいずれかの状態に切り替えるスイッチと、消磁用の交流減衰信号を発生させて、スイッチによって負帰還動作ループが開ループの状態に切り替えられたときに、スイッチと増幅器を介して帰還コイルに交流減衰信号を供給する交流信号源とを備えている。
【０００３】
この消磁回路によれば、例えば、負帰還がない状態での電気信号の入力や外部磁界などによって帯磁された磁気コアに、交流減衰信号が流れる帰還コイルから交流減衰磁界を印加することができるため、磁気コアを交流消磁することが可能になっている。
【０００４】
また、下記の特許文献１には、上記の増幅器を、前段増幅器と、その後段に接続された電力増幅器とで構成し、消磁を行うときには、前段増幅器の入力側に消磁用の交流減衰信号を印加することにより、上記のスイッチを省くようにする構成についても開示されている。
【先行技術文献】
【特許文献】
【０００５】
【特許文献１】特開平７−１１０３４５号公報（第２−３頁、第１，３図）
【発明の概要】
【発明が解決しようとする課題】
【０００６】
ところで、上記の特許文献１に開示されているような一対の磁気コアを複数組備えて、異なる被測定導体に流れる電流を同時に測定可能な電流測定装置が存在している。このような電流測定装置では、一対の磁気コアの組毎に、上記の磁電変換部、増幅器、出力抵抗および帰還コイルが配置されて、個別の負帰還動作ループが構成されている。このため、上記の消磁回路を単純に適用しようとしたときには、一対の磁気コアの組毎に、例えば、負帰還動作ループを閉ループおよび開ループのいずれかの状態に切り替えるスイッチを配置して、共通の１つの交流信号源から各帰還コイルに交流減衰信号を供給することにより、各磁気コアの組を同時に消磁する構成を採用するのが一般的であると考えられる。
【０００７】
しかしながら、このように１つの交流信号源を用いて、複数の磁気コアの組を同時に消磁する構成を採用したときには、各帰還コイルに供給される交流減衰信号の位相が一致した状態になるため、交流減衰信号のピーク値（最大値）に各帰還コイルの数を乗算したピーク値の交流減衰信号を供給し得る交流信号源を使用しなければならない。したがって、このような構成には、極めて大きな電源容量の交流信号源を使用する必要があるという解決すべき課題が生じる。
【０００８】
本発明は、かかる課題に鑑みてなされたものであり、交流減衰信号を発生する交流信号源の電源容量を低減しつつ、複数の電流センサを構成する磁気コアを消磁し得る消磁回路、消磁回路を備えた電流測定装置、および電流測定装置を備えた電力測定装置を提供することを主目的とする。
【課題を解決するための手段】
【０００９】
上記目的を達成すべく請求項１記載の消磁回路は、対応する測定電路をそれぞれ内包した状態で当該測定電路に装着される磁気コアを有する複数の電流センサの前記各磁気コアに巻回された消磁コイルと、入力する開始信号をトリガとして同じ周期の交流減衰信号の生成を開始すると共に、対応付けられた前記電流センサの前記消磁コイルに出力する複数の交流信号源と、前記複数の交流信号源に対して前記交流減衰信号の生成を開始させるための複数の前記開始信号を前記周期の１周期分に相当する時間内にタイミングをずらして出力する開始信号出力回路とを備えている。
【００１０】
請求項２記載の消磁回路は、請求項１記載の消磁回路において、前記開始信号出力回路は、前記複数の交流信号源から出力される前記交流減衰信号のピークが揃わないように複数の前記開始信号を出力する。
【００１１】
請求項３記載の電流測定装置は、上記の消磁回路と、前記対応する測定電路に流れる電流の電流値に比例して電圧値が変化する電圧信号を生成して出力する前記複数の電流センサと、前記複数の電流センサで検出された前記電圧信号に基づいて、前記各測定電路に流れる電流の電流値を算出する電流算出回路とを備えている。
【００１２】
請求項４記載の電力測定装置は、上記の電流測定装置と、前記複数の測定電路についての電圧を測定する電圧測定装置と、前記電流測定装置で測定された前記各測定電路に流れる電流と前記電圧測定装置で測定された前記各測定電路についての電圧とに基づいて当該各測定電路を介して供給される電力を算出する電力算出回路とを備えている。
【発明の効果】
【００１３】
請求項１の消磁回路では、複数の電流センサの各磁気コアに巻回された消磁コイルに交流減衰信号を、交流減衰信号の周期の１周期分に相当する時間内にタイミングをずらして出力する。
【００１４】
したがって、この消磁回路によれば、複数の電流センサの各磁気コアをほぼ同時に消磁しつつ、各交流減衰信号を出力する各交流信号源での消費電力のピークの重なり合いを確実に回避することができるため、各交流信号源に供給する電力のピーク値を低下させることができ、これによって消磁回路の電源容量を確実に低減することができる。
【００１５】
請求項２の消磁回路によれば、開始信号出力回路が複数の交流信号源から出力される交流減衰信号のピークが揃わないように複数の開始信号を出力するため、各交流信号源に供給する電力のピーク値を一層低下させることができ、これによって消磁回路の電源容量を大幅に低減することができる。
【００１６】
請求項３の電流測定装置および請求項４の電力測定装置によれば、上記の消磁回路を備えたことにより、複数の電流センサの各磁気コアをほぼ同時に消磁しつつ、電源容量を確実に低減することができる。
【図面の簡単な説明】
【００１７】
【図１】電力測定装置ＰＭ１の構成を示す構成図である。
【図２】開始信号出力回路３２の回路図である。
【図３】図１の消磁回路１３の動作を説明するための波形図である。
【図４】電力測定装置ＰＭ２の構成を示す構成図である。
【図５】図４の開始信号出力回路３２Ａの回路図である。
【図６】図４の電力測定装置ＰＭ２が３チャンネル電力測定装置の形態で動作するときの消磁回路１３Ａの動作を説明するための波形図である。
【図７】図４の電力測定装置ＰＭ２が２チャンネル電力測定装置の形態で動作するときの消磁回路１３Ａの動作を説明するための波形図である。
【発明を実施するための形態】
【００１８】
以下、添付図面を参照して、消磁回路、この消磁回路を有する電流測定装置、およびこの電流測定装置を備えた電力測定装置の実施の形態について説明する。
【００１９】
最初に、電力測定装置ＰＭ１の構成について、図面を参照して説明する。
【００２０】
電力測定装置ＰＭ１は、図１に示すように、電流測定装置１、電圧測定装置２、電力算出回路３および出力装置４を備え、一例として、三相の交流電路ＰＬ（本例では一例として、測定電路としての三相の各電線Ｌ（電線Ｌａ，Ｌｂ，Ｌｃ）と中性線Ｌｎとで構成される三相４線式の交流電路）についての３つの相電圧Ｕ（相電圧Ｕ１，Ｕ２，Ｕ３）、および３つの相電流Ｉ（相電流Ｉ１，Ｉ２，Ｉ３）を測定すると共に、これらに基づいてこの交流電路ＰＬに供給されている電力Ｗｔを測定する。
【００２１】
電流測定装置１は、図１に示すように、複数の電流センサ１１（本例では一例として、３つの電流センサ１１ａ，１１ｂ，１１ｃ）、電流算出回路１２および消磁回路１３を備えている。
【００２２】
各電流センサ１１は、磁気コア２１、磁電変換器２２、前段増幅器２３、電力増幅器２４、帰還コイル２５および出力抵抗２６をそれぞれ備えて、電線Ｌに対する着脱が自在な零磁束制御型のクランプ式電流センサとして同一に構成されている。
【００２３】
具体的には、磁気コア２１は、例えば、フェライトなどを用いて開閉可能な形状、つまり、既に設置されている電線Ｌ（電線Ｌａ，Ｌｂ，Ｌｃのいずれか）を内包し得る形状に構成されている。磁電変換器２２は、例えば、ホール素子で構成されると共に磁気コア２１に装着されて、磁気コア２１内の磁束を電気信号である検出信号Ｓｉ（電流センサ１１ａでは検出信号Ｓｉａ、電流センサ１１ｂでは検出信号Ｓｉｂ、電流センサ１１ｃでは検出信号Ｓｉｃ）に変換して出力する。なお、ホール素子に代えて、検出コイルを磁電変換器２２に使用することもできる。
【００２４】
前段増幅器２３は、一例として演算増幅器で構成されて、反転入力端子に検出信号Ｓｉが入力され、非反転入力端子に消磁回路１３を構成する後述の交流信号源３１から出力される交流減衰信号Ｓｓ（電流センサ１１ａでは交流減衰信号Ｓｓａ、電流センサ１１ｂでは交流減衰信号Ｓｓｂ、電流センサ１１ｃでは交流減衰信号Ｓｓｃ）が入力される。これにより、前段増幅器２３は交流減衰信号Ｓｓと検出信号Ｓｉの差分を増幅して電力増幅器２４に出力するが、交流減衰信号Ｓｓの信号レベルは検出信号Ｓｉの信号レベルに比べて十分に大きくなるように規定されているため、前段増幅器２３は交流減衰信号Ｓｓの入力時には実質的に交流減衰信号Ｓｓを増幅して電力増幅器２４に出力し、交流減衰信号Ｓｓの非入力時には検出信号Ｓｉを増幅して電力増幅器２４に出力する。
【００２５】
電力増幅器２４は、一例として演算増幅器で構成されて、反転入力端子に前段増幅器２３から出力される信号が入力され、非反転入力端子は基準電位（グランド電位）に接続されている。この構成により、電力増幅器２４は、前段増幅器２３から出力される信号を反転すると共に増幅して出力する。
【００２６】
帰還コイル２５は、磁気コア２１に巻回されて、一方の端子が電力増幅器２４の出力端子に接続されている。出力抵抗２６は、一方の端子が帰還コイル２５の他方の端子に接続され、他方の端子が基準電位に規定されている。これにより、電力増幅器２４から出力される信号は、帰還コイル２５および出力抵抗２６の直列回路に印加される。
【００２７】
以上の構成により、この電流センサ１１では、前段増幅器２３が検出信号Ｓｉを増幅して電力増幅器２４に出力しているときには、電力増幅器２４のシンクおよびソース作用により、磁気コア２１に内包されている電線Ｌに相電流Ｉが流れることによってこの磁気コア２１内に誘起された磁束を打ち消すような電流が帰還コイル２５に供給され、出力抵抗２６の両端間には、この帰還コイル２５に供給されている電流の電流値（すなわち、相電流Ｉの電流値）に応じて電圧値が変化する電圧信号Ｖｉ（電流センサ１１ａでは電圧信号Ｖｉａ、電流センサ１１ｂでは電圧信号Ｖｉｂ、電流センサ１１ｃでは電圧信号Ｖｉｃ）が発生する。電流センサ１１は、この電圧信号Ｖｉを出力することによって電線Ｌに流れる相電流Ｉを検出する。
【００２８】
電流算出回路１２は、一例として、Ａ／Ｄ変換器を含むＤＳＰ（Ｄｉｇｉｔａｌ  Ｓｉｇｎａｌ  Ｐｒｏｃｅｓｓｏｒ）で構成されて、各電流センサ１１ａ，１１ｂ，１１ｃから出力される電圧信号Ｖｉａ，Ｖｉｂ，Ｖｉｃをサンプリングして、波形データにそれぞれ変換し、これらの波形データに基づいて、電流センサ１１ａ，１１ｂ，１１ｃの各磁気コア２１に内包されている電線Ｌに流れる相電流Ｉの電流値を算出する。本例では、電流センサ１１ａは電線Ｌａに装着され、電流センサ１１ｂは電線Ｌｂに装着され、電流センサ１１ｃは電線Ｌｃに装着される。このため、電流算出回路１２は、電圧信号Ｖｉａの波形データに基づいて電線Ｌａに流れる相電流Ｉ１の電流値Ｉａを算出し、電圧信号Ｖｉｂの波形データに基づいて電線Ｌｂに流れる相電流Ｉ２の電流値Ｉｂを算出し、電圧信号Ｖｉｃの波形データに基づいて電線Ｌｃに流れる相電流Ｉ３の電流値Ｉｃを算出する。また、電流算出回路１２は、算出した電流値Ｉａ，Ｉｂ，Ｉｃを電力算出回路３に出力する。
【００２９】
消磁回路１３は、電流センサ１１ａ，１１ｂ，１１ｃの各磁気コア２１に巻回された消磁コイル（後述する帰還コイル２５）と、各消磁コイルに交流減衰信号Ｓｓを出力する複数の交流信号源３１（磁気コア２１と同数のため、本例では交流信号源３１ａ，３１ｂ，３１ｃの３つ）と、開始信号出力回路３２と、操作スイッチ３３とを備えている。
【００３０】
本例では、上記したように、各電流センサ１１を構成する前段増幅器２３に交流減衰信号Ｓｓを入力する構成を採用したことにより、各磁気コア２１に巻回された帰還コイル２５が消磁コイルとして機能する。
【００３１】
各交流信号源３１ａ，３１ｂ，３１ｃは、入力する開始信号Ｓｔａ，Ｓｔｂ，Ｓｔｃをそれぞれトリガとして、この開始信号Ｓｔａ，Ｓｔｂ，Ｓｔｃの入力（本例では一例として立ち上がり）から同一のタイミングで、同一の周期の交流減衰信号Ｓｓａ，Ｓｓｂ，Ｓｓｃを同一の位相で生成を開始する。この場合、交流減衰信号Ｓｓ（Ｓｓａ，Ｓｓｂ，Ｓｓｃ）とは、図３に示すように、生成の開始後に振幅が一旦最大になり、その後に振幅が徐々に減衰して、生成の開始後から一定時間（例えば、数秒）を経過した時点で零になるような交流信号をいう。
【００３２】
また、上記したように、交流信号源３１ａは、生成した交流減衰信号Ｓｓａを、対応付けられた電流センサ１１ａの前段増幅器２３に出力することにより、電流センサ１１ａの消磁コイルとして機能する帰還コイル２５に出力し、交流信号源３１ｂは、生成した交流減衰信号Ｓｓｂを、対応付けられた電流センサ１１ｂの前段増幅器２３に出力することにより、電流センサ１１ｂの消磁コイルとして機能する帰還コイル２５に出力し、交流信号源３１ｃは、生成した交流減衰信号Ｓｓｃを、対応付けられた電流センサ１１ｃの前段増幅器２３に出力することにより、電流センサ１１ｃの消磁コイルとして機能する帰還コイル２５に出力する。
【００３３】
なお、図示はしないが、各電流センサ１１の前段増幅器２３に交流減衰信号Ｓｓを入力する構成に代えて、各電流センサ１１の前段増幅器２３と電力増幅器２４との間に切替スイッチを配置して、前段増幅器２３から出力される信号と、交流信号源３１から前段増幅器２３を介さずに出力される交流減衰信号Ｓｓとを切替スイッチで切り替えて電力増幅器２４に入力することで、消磁コイルとして機能する帰還コイル２５に交流減衰信号Ｓｓを出力する構成を採用することもできる。また、電力増幅器２４の出力に切替スイッチを配置して、電力増幅器２４から出力される信号と、交流信号源３１から前段増幅器２３や電力増幅器２４を介さずに出力される交流減衰信号Ｓｓとを切替スイッチで切り替えて、消磁コイルとして機能する帰還コイル２５に交流減衰信号Ｓｓを出力する構成を採用することもできる。さらに、各磁気コア２１に巻回された帰還コイル２５を消磁コイルとして機能させる構成に代えて、帰還コイル２５とは別に消磁コイルを独立して各磁気コア２１に巻回し、この消磁コイルに交流信号源３１から交流減衰信号Ｓｓを直接供給する構成を採用することもできる。
【００３４】
開始信号出力回路３２は、複数の交流信号源（本例では、３つの交流信号源３１ａ，３１ｂ，３１ｃ）に対して交流減衰信号Ｓｓの生成を開始させるための複数の開始信号（本例では、３つの開始信号Ｓｔａ，Ｓｔｂ，Ｓｔｃ）を、操作スイッチ３３が操作されたときに、交流減衰信号Ｓｓの周期の１周期分に相当する時間内にタイミングをずらして１回ずつ出力する。一例として、開始信号出力回路３２は、図２に示すように、一定の周期のクロック信号ＣＬＫに同期して作動する３つのフリップフロップ（例えば、Ｄ型フリップフロップ３２ａ，３２ｂ，３２ｃ）を用いて構成された順序回路を用いて実現することができる。開始信号出力回路３２では、操作スイッチ３３が操作されたときに、まず、各Ｄ型フリップフロップ３２ａ，３２ｂ，３２ｃがリセットされ（各Ｑ端子がローレベルにセットされ）、その後、各Ｄ型フリップフロップ３２ａ，３２ｂ，３２ｃがクロック信号ＣＬＫに同期して動作を開始すると共に、初段のＤ型フリップフロップ３２ａが開始信号Ｓｔａを１回出力した後に停止することで、３つの開始信号Ｓｔａ，Ｓｔｂ，Ｓｔｃが各Ｄ型フリップフロップ３２ａ，３２ｂ，３２ｃからクロック信号ＣＬＫの１周期分ずつずれた状態で出力される。
【００３５】
また、本例では、クロック信号ＣＬＫの周期が、交流減衰信号Ｓｓの周期の１／３の時間長に予め規定されている。したがって、開始信号出力回路３２は、操作スイッチ３３が操作されたときに、図３に示すように、交流減衰信号Ｓｓの周期Ｔの１周期分に相当する時間内に、開始信号Ｓｔａ，Ｓｔｂ，Ｓｔｃを交流減衰信号Ｓｓの周期Ｔの１／３（周期Ｔの１周期分に相当する時間を電流センサ１１の個数で除算して得られる時間）だけずらしたタイミングで１回ずつ出力することが可能になっている。
【００３６】
電圧測定装置２は、各電線Ｌａ〜Ｌｃと中性線Ｌｎとに接続される４本の電圧プローブ４１ａ，４１ｂ，４１ｃ，４１ｎ、および電圧算出回路４２を備え、複数の電線Ｌａ〜Ｌｃについての電圧（この例では、後述するように相電圧）を測定する。
【００３７】
電圧算出回路４２は、一例として、Ａ／Ｄ変換器を含むＤＳＰで構成されて、電圧プローブ４１ａ，４１ｂ，４１ｃ，４１ｎを介して、電圧プローブ４１ａ，４１ｎ間の電圧（相電圧Ｕ１）、電圧プローブ４１ｂ，４１ｎ間の電圧（相電圧Ｕ２）および電圧プローブ４１ｃ，４１ｎ間の電圧（相電圧Ｕ３）をサンプリングして、波形データにそれぞれ変換し、これらの波形データに基づいて、各相電圧Ｕ１，Ｕ２，Ｕ３の電圧値Ｕａ，Ｕｂ，Ｕｃを算出する。また、電圧算出回路４２は、算出した電圧値Ｕａ，Ｕｂ，Ｕｃを電力算出回路３に出力する。
【００３８】
なお、電圧算出回路４２は、複数の電線Ｌａ〜Ｌｃについての電圧として、電圧プローブ４１ａ，４１ｂ間の電圧（線間電圧）、電圧プローブ４１ｂ，４１ｃ間の電圧（線間電圧）および電圧プローブ４１ｃ，４１ａ間の電圧（線間電圧）をサンプリングして、波形データにそれぞれ変換し、これらの波形データに基づいて、各線間電圧の電圧値を算出する構成を採用することもできる。
【００３９】
電力算出回路３は、ＣＰＵを備えて構成されて、電流算出回路１２から出力される相電流Ｉ１の電流値Ｉａ、相電流Ｉ２の電流値Ｉｂおよび相電流Ｉ３の電流値Ｉｃと、電圧算出回路４２から出力される相電圧Ｕ１の電圧値Ｕａ、相電圧Ｕ２の電圧値Ｕｂおよび相電圧Ｕ３の電圧値Ｕｃとに基づいて、交流電路ＰＬに供給されている電力Ｗｔを例えば一定時間間隔（例えば、数ミリ秒間隔）で算出（測定）する。また、電力算出回路３は、算出した電力Ｗｔを出力装置４に出力する。
【００４０】
出力装置４は、一例として、ＬＣＤ（Ｌｉｑｕｉｄ  Ｃｒｙｓｔａｌ  Ｄｉｓｐｌａｙ）などの表示装置で構成されて、電力算出回路３から出力された電力Ｗｔを画面上に表示させる。なお、出力装置４は、この構成に限定されるものではなく、印刷装置などの媒体に出力する構成や、書き込み装置などのリムーバブルメモリに出力する構成や、送信装置などの外部の他の機器に出力する構成を採用することもできる。
【００４１】
次に、消磁回路１３、電流測定装置１および電力測定装置ＰＭ１の動作について、図面を参照して説明する。
【００４２】
電力測定装置ＰＭ１の電流測定装置１では、操作スイッチ３３が操作されていないときには、各電流センサ１１ａ，１１ｂ，１１ｃの前段増幅器２３に交流信号源３１からの交流減衰信号Ｓｓが入力されていないため、前段増幅器２３の非反転入力端子は基準電位（グランド電位。零ボルト）に維持されている。これにより、電流センサ１１ａ，１１ｂ，１１ｃの各前段増幅器２３は、対応する磁電変換器２２からの検出信号Ｓｉを増幅して電力増幅器２４に出力する。したがって、各電流センサ１１ａ，１１ｂ，１１ｃは、電線Ｌａ，Ｌｂ，Ｌｃに流れる相電流Ｉ１，Ｉ２，Ｉ３を検出して、電圧信号Ｖｉａ，Ｖｉｂ，Ｖｉｃを出力し、電流算出回路１２が、この電圧信号Ｖｉａ，Ｖｉｂ，Ｖｉｃに基づいて、相電流Ｉ１，Ｉ２，Ｉ３の電流値Ｉａ，Ｉｂ，Ｉｃを算出して、電力算出回路３に出力する。
【００４３】
一方、電圧測定装置２では、電圧算出回路４２が、電圧プローブ４１ａ，４１ｂ，４１ｃ，４１ｎを介して、相電圧Ｕ１，Ｕ２，Ｕ３の電圧値Ｕａ，Ｕｂ，Ｕｃを算出して、電力算出回路３に出力する。
【００４４】
また、電力算出回路３は、相電流Ｉ１の電流値Ｉａ、相電流Ｉ２の電流値Ｉｂ、相電流Ｉ３の電流値Ｉｃ、相電圧Ｕ１の電圧値Ｕａ、相電圧Ｕ２の電圧値Ｕｂおよび相電圧Ｕ３の電圧値Ｕｃに基づいて、交流電路ＰＬに供給されている電力Ｗｔを一定時間間隔で算出して、出力装置４に出力する。また、出力装置４は、電力算出回路３から新たな電力Ｗｔが出力される都度、これを入力して画面上に一定時間間隔で更新表示させる。これにより、この電力測定装置ＰＭ１では、出力装置４に表示される電力Ｗｔを確認することで、交流電路ＰＬに供給されている電力Ｗｔを測定することが可能になっている。
【００４５】
ところで、この電力測定装置ＰＭ１においては、電流測定装置１が零磁束制御型の各電流センサ１１ａ，１１ｂ，１１ｃを備えて構成されている。このため、通常の動作のときには、負帰還作用により、各電流センサ１１ａ，１１ｂ，１１ｃを構成する磁気コア２１の動作磁束が極めて小さい状態に抑えられていることから、磁気コア２１の帯磁による影響は極めて少ない状態に維持されている。しかしながら、電線Ｌ（電線Ｌａ，Ｌｂ，Ｌｃ）に過大な相電流Ｉが流れたときや、外部から大きな磁界が印加されたときには、磁気コア２１が帯磁して、電流センサ１１ａ，１１ｂ，１１ｃの零点が偏倚する場合がある。
【００４６】
この場合、電流センサ１１ａ，１１ｂ，１１ｃの各磁気コア２１の帯磁を解消する際には、操作スイッチ３３を操作する。この際に、開始信号出力回路３２は、図３に示すように、交流信号源３１から出力される交流減衰信号Ｓｓの周期Ｔの１周期分に相当する時間内に、開始信号Ｓｔａ，Ｓｔｂ，Ｓｔｃを交流減衰信号Ｓｓの周期Ｔの１／３だけずらしたタイミングで１回ずつ出力する。
【００４７】
これらの開始信号Ｓｔａ，Ｓｔｂ，Ｓｔｃのうちの最も早く出力される開始信号Ｓｔａを入力した交流信号源３１ａは、開始信号Ｓｔａの入力のタイミングに合わせて、交流減衰信号Ｓｓａの出力を開始する。また、開始信号Ｓｔａの次に出力される開始信号Ｓｔｂを入力した交流信号源３１ｂは、開始信号Ｓｔｂを入力して交流減衰信号Ｓｓｂの出力を開始する。この場合、この交流減衰信号Ｓｓｂは、交流減衰信号Ｓｓａに対して時間Ｔ／３だけ遅れて出力される。また、最後に出力される開始信号Ｓｔｃを入力した交流信号源３１ｃは、開始信号Ｓｔｃを入力して交流減衰信号Ｓｓｃの出力を開始する。この場合、この交流減衰信号Ｓｓｃは、交流減衰信号Ｓｓｂに対して時間Ｔ／３だけ遅れて出力される。
【００４８】
また、交流信号源３１ａから出力された交流減衰信号Ｓｓａは、電流センサ１１ａの前段増幅器２３に入力されると共に、前段増幅器２３および電力増幅器２４のそれぞれにおいて増幅されて帰還コイル２５と出力抵抗２６の直列回路に印加される。これにより、電流センサ１１ａの帰還コイル２５には、交流減衰電流が流れるため、電流センサ１１ａの磁気コア２１が消磁される。
【００４９】
同様にして、交流信号源３１ｂから出力された交流減衰信号Ｓｓｂは、電流センサ１１ｂの前段増幅器２３に入力されると共に、前段増幅器２３および電力増幅器２４のそれぞれにおいて増幅されて帰還コイル２５と出力抵抗２６の直列回路に印加され、また、交流信号源３１ｃから出力された交流減衰信号Ｓｓｃは、電流センサ１１ｃの前段増幅器２３に入力されると共に、前段増幅器２３および電力増幅器２４のそれぞれにおいて増幅されて帰還コイル２５と出力抵抗２６の直列回路に印加される。これにより、電流センサ１１ｂ，１１ｃの各帰還コイル２５にも、交流減衰電流が流れるため、電流センサ１１ｂ，１１ｃの各磁気コア２１も、同様にして、電流センサ１１ａの磁気コア２１とほぼ同時に消磁される。
【００５０】
また、この消磁回路１３では、各交流減衰信号Ｓｓａ，Ｓｓｂ，Ｓｓｃが、これらの信号に共通する周期Ｔの１／３に相当する時間Ｔ／３ずつずれた状態で、電流センサ１１ａ，１１ｂ，１１ｃの各帰還コイル２５（磁気コア２１に対して消磁コイルとして機能するコイル）に印加される。このため、各交流減衰信号Ｓｓａ，Ｓｓｂ，Ｓｓｃを同タイミングで印加する構成とは異なり、各交流減衰信号Ｓｓａ，Ｓｓｂ，Ｓｓｃを出力する各交流信号源３１ａ，３１ｂ，３１ｃでの消費電力のピークが重ならないことから、各交流信号源３１ａ，３１ｂ，３１ｃに供給する電力のピーク値が大幅に低下する。したがって、この消磁回路１３によれば、消磁回路１３の電源容量、ひいてはこの消磁回路１３を有する電流測定装置１の電源容量、さらにはこの電流測定装置１を有する電力測定装置ＰＭ１の電源容量を大幅に低減することが可能になっている。
【００５１】
このように、上記の消磁回路１３では、電流センサ１１ａ，１１ｂ，１１ｃの各磁気コア２１に対して消磁コイルとして機能するそれぞれの帰還コイル２５に交流減衰信号Ｓｓａ，Ｓｓｂ，Ｓｓｃを、それらの周期Ｔの１周期分に相当する時間内にタイミングをずらして、互いの信号波形のピークが重ならないように（ピークがいずれも揃わないように）１回ずつ出力する。
【００５２】
したがって、この消磁回路１３によれば、各交流減衰信号Ｓｓａ，Ｓｓｂ，Ｓｓｃを出力する各交流信号源３１ａ，３１ｂ，３１ｃでの消費電力のピークの重なり合いを確実に回避することができるため、各交流信号源３１ａ，３１ｂ，３１ｃに供給する電力のピーク値を低下させることができ、これによって消磁回路１３の電源容量、ひいてはこの消磁回路１３を有する電流測定装置１の電源容量、さらにはこの電流測定装置１を有する電力測定装置ＰＭ１の電源容量を確実に低減することができる。
【００５３】
また、この消磁回路１３では、開始信号出力回路３２が交流減衰信号Ｓｓの周期Ｔの１周期分に相当する時間を電流センサ１１の個数（本例では３つ）で除算して得られる時間（本例では、Ｔ／３）ずつずらしたタイミングで開始信号Ｓｔａ，Ｓｔｂ，Ｓｔｃを出力する。
【００５４】
したがって、この消磁回路１３によれば、開始信号Ｓｔａ，Ｓｔｂ，Ｓｔｃの出力タイミングで各交流信号源３１ａ，３１ｂ，３１ｃから出力される各交流減衰信号Ｓｓａ，Ｓｓｂ，Ｓｓｃを、それらの周期Ｔ内において均等にずらすことができるため、各交流信号源３１ａ，３１ｂ，３１ｃに供給する電力のピーク値を最も低下させることができ、これによって消磁回路１３の電源容量、ひいてはこの消磁回路１３を有する電流測定装置１の電源容量、さらにはこの電流測定装置１を有する電力測定装置ＰＭ１の電源容量を大幅に低減することができる。
【００５５】
なお、上記の消磁回路１３では、開始信号出力回路３２が、交流減衰信号Ｓｓの周期Ｔの１周期分に相当する時間を電流センサ１１の個数（本例では３つ）で除算して得られる時間（本例では、Ｔ／３）ずつずらしたタイミングで開始信号Ｓｔａ，Ｓｔｂ，Ｓｔｃを出力するという最も好ましい構成を採用することで、各交流減衰信号Ｓｓａ，Ｓｓｂ，Ｓｓｃのピークをこれらの信号に共通の周期Ｔ内において均等にずらして、消磁回路１３の電源容量などを大幅に低減するようにしているが、ずらす時間はこの時間に限定されず、各交流減衰信号Ｓｓａ，Ｓｓｂ，Ｓｓｃの各ピークのすべてが重ならない（各ピークがいずれも揃わない、つまり、各交流減衰信号Ｓｓにおいて、正側のピークおよび負側のピークのうちのいずれのピークも、他の交流減衰信号Ｓｓの正側のピークおよび負側のピークのいずれとも揃わない）任意の時間にすることができる。
【００５６】
また、上記の電力測定装置ＰＭ１は、３つの電線Ｌａ，Ｌｂ，Ｌｃと中性線Ｌｎとで構成される三相４線式の交流電路ＰＬについての３つの相電圧Ｕ１，Ｕ２，Ｕ３、３つの相電流Ｉ１，Ｉ２，Ｉ３、および交流電路ＰＬに供給されている電力Ｗｔを測定するための専用の電力測定装置（３チャンネルの電力測定装置）として構成されて、３つの電流センサ１１ａ，１１ｂ，１１ｃが常時接続されている構成であるが、例えば、電力測定装置によっては、二相の交流電路についての電圧、電流および電力を測定する形態と、上記したような三相の交流電路ＰＬについての電圧（相電圧）、電流（相電流）および電力を測定する形態とを切替可能に構成されている電力測定装置が存在している。以下では、このような電力測定装置に上記した消磁回路を適用して構成された電力測定装置ＰＭ２について説明する。なお、電力測定装置ＰＭ１と同一の構成については同一の符号を付して重複する説明を省略する。
【００５７】
この電力測定装置ＰＭ２は、図４に示すように、電流測定装置１Ａ、電圧測定装置２、電力算出回路３および出力装置４を備え、三相の交流電路ＰＬ（本例では一例として、測定電路としての三相の各電線Ｌ（電線Ｌａ，Ｌｂ，Ｌｃ）と中性線Ｌｎとで構成される三相４線式の交流電路）についての３つの相電圧Ｕ（相電圧Ｕ１，Ｕ２，Ｕ３）、および３つの相電流Ｉ（相電流Ｉ１，Ｉ２，Ｉ３）を測定すると共に、これらに基づいてこの交流電路ＰＬに供給されている電力Ｗｔを測定する形態（３チャンネル電力測定装置としての形態）と、上記した３つの相電圧Ｕ（相電圧Ｕ１，Ｕ２，Ｕ３）のうちの任意の２つの相電圧Ｕ、および上記した３つの相電流Ｉ（相電流Ｉ１，Ｉ２，Ｉ３）のうちのこの任意の２つの相電圧Ｕに対応する２つの相電流Ｉを測定すると共に、これらに基づいて２つの相電圧Ｕおよび相電流Ｉが測定された２つの交流電路ＰＬに供給されている電力Ｗｔを測定する形態（２チャンネル電力測定装置としての形態）とを切り替え可能に構成されている。以下、電力測定装置ＰＭ１の電流測定装置１と異なる構成の電流測定装置１Ａを主として説明する。
【００５８】
電流測定装置１Ａは、図１に示すように、電流測定装置１のセンサ１１と同一に構成された複数の電流センサ１１（本例では一例として、３つの電流センサ１１ａ，１１ｂ，１１ｃ）および電流測定装置１の電流算出回路１２と同一に構成された電流算出回路１２と、電流測定装置１の消磁回路１３とは異なる構成の消磁回路１３Ａとを備えている。
【００５９】
消磁回路１３Ａは、電流センサ１１ａ，１１ｂ，１１ｃの各磁気コア２１に巻回された消磁コイル（帰還コイル２５）と、各消磁コイルに交流減衰信号Ｓｓを出力する複数の交流信号源３１（磁気コア２１と同数のため、本例では交流信号源３１ａ，３１ｂ，３１ｃの３つ）と、開始信号出力回路３２Ａと、操作スイッチ３３と、例えば単極双投形のスイッチで構成されたスイッチ３４とを備えている。
【００６０】
開始信号出力回路３２Ａは、複数の交流信号源（本例では、３つの交流信号源３１ａ，３１ｂ，３１ｃ）に対して交流減衰信号Ｓｓの生成を開始させるための複数の開始信号（本例では、３つの開始信号Ｓｔａ，Ｓｔｂ，Ｓｔｃ）を、操作スイッチ３３が操作されたときに、交流減衰信号Ｓｓの周期Ｔの１周期分に相当する時間内に切替信号Ｓｓｅのレベルに対応した時間ずつタイミングをずらして１回ずつ出力する。
【００６１】
この切替信号Ｓｓｅは、３チャンネル電力測定装置としての形態および２チャンネル電力測定装置としての形態のいずれかの形態に電力測定装置ＰＭ２を切り替えるための信号であって、一例として、３チャンネル電力測定装置としての形態に切り替えるときにはハイレベルであり、２チャンネル電力測定装置としての形態に切り替えるときにはローレベルになる信号である。また、図示はしないが、この切替信号Ｓｓｅは、一端がハイレベルにプルアップされた抵抗と、この抵抗の他端をマニュアル操作でグランド（ローレベル）に接続可能な切替スイッチとで構成された回路で生成する構成を採用してもよいし、３つの電流センサ１１ａ，１１ｂ，１１ｃの電力測定装置ＰＭ２への接続状態を検出して、３つの電流センサ１１ａ，１１ｂ，１１ｃが接続されていることを検出したときには、切替信号Ｓｓｅをハイレベルで出力し、２チャンネル電力測定装置としての形態のときに使用される２つの電流センサ１１（本例では一例として、電流センサ１１ａ，１１ｂ）が電力測定装置ＰＭ２に接続され、かつ残りの１つの電流センサ１１（本例では電流センサ１１ｃ）が接続されていないことを検出したときには、切替信号Ｓｓｅをローレベルで出力する切替信号生成部を設けて、この切替信号生成部で生成する構成を採用してもよい。
【００６２】
一例として、開始信号出力回路３２Ａは、図５に示すように、クロック信号ＣＬＫに同期して作動する２つのフリップフロップ（例えば、Ｄ型フリップフロップ３２ａ，３２ｃ）と、Ｄ型フリップフロップ３２ａから出力される信号ＣＬＫＷ（クロック信号ＣＬＫの２倍の周期の信号）を動作クロックとして作動する１つのフリップフロップ（例えば、Ｄ型フリップフロップ３２ｂ）と、クロック信号ＣＬＫを生成するクロック生成回路３２ｄとを備えて構成されている。この場合、クロック生成回路３２ｄは、切替信号Ｓｓｅのレベルに応じて、生成するクロック信号ＣＬＫの周期を切り替える。本例の構成では、クロック生成回路３２ｄは、切替信号Ｓｓｅがハイレベルのときには、一例としてクロック信号ＣＬＫの周期を交流減衰信号Ｓｓの周期Ｔの１／３の時間長に切り替え（図６参照）、切替信号Ｓｓｅがローレベルのときには、一例としてクロック信号ＣＬＫの周期を交流減衰信号Ｓｓの周期Ｔの１／４の時間長に切り替える（図７参照）。
【００６３】
この開始信号出力回路３２Ａでは、操作スイッチ３３が操作されたときに、まず、各Ｄ型フリップフロップ３２ａ，３２ｂ，３２ｃがリセットされ（各Ｑ端子がローレベルにセットされ）、その後、各Ｄ型フリップフロップ３２ａ，３２ｃがクロック信号ＣＬＫに同期して動作を開始すると共に、Ｄ型フリップフロップ３２ｂが信号ＣＬＫＷに同期して動作を開始し、一例として各Ｄ型フリップフロップ３２ａ，３２ｃがクロック信号ＣＬＫの４周期分だけ作動した後に停止することで、図６（または図７）に示すように、立ち上がりのタイミングがクロック信号ＣＬＫの１周期分ずつずれる開始信号Ｓｔａ，Ｓｔｂ，Ｓｔｃを出力する。
【００６４】
また、本例では、クロック信号ＣＬＫの周期が、上記したように、切替信号Ｓｓｅがハイレベルのときには交流減衰信号Ｓｓの周期Ｔの１／３の時間長に切り替えられ、切替信号Ｓｓｅがローレベルのときには交流減衰信号Ｓｓの周期Ｔの１／４の時間長に切り替えるため、開始信号出力回路３２Ａは、切替信号Ｓｓｅがハイレベルのときには、図６に示すように、交流減衰信号Ｓｓの周期Ｔの１周期分に相当する時間内に、開始信号Ｓｔａ，Ｓｔｂ，Ｓｔｃを、それぞれの立ち上がりのタイミングが交流減衰信号Ｓｓの周期Ｔの１／３だけずれた状態で１回ずつ出力することが可能になっている。また、開始信号出力回路３２Ａは、切替信号Ｓｓｅがローレベルのときには、図７に示すように、交流減衰信号Ｓｓの周期Ｔの１周期分に相当する時間内に、開始信号Ｓｔａ，Ｓｔｂ，Ｓｔｃを、それぞれの立ち上がりのタイミングが交流減衰信号Ｓｓの周期Ｔの１／４だけずれた状態で１回ずつ出力することが可能になっている。
【００６５】
また、開始信号出力回路３２Ａは、開始信号Ｓｔａを交流信号源３１ａに直接出力し、開始信号Ｓｔｂを交流信号源３１ｂに直接出力する。また、開始信号出力回路３２Ａは、開始信号Ｓｔｃについてはスイッチ３４を介して交流信号源３１ｃに出力する。具体的には、スイッチ３４は、ｃ接点の他のａ，ｂ接点への接続状態が切替信号Ｓｓｅのレベルに基づいて制御されて、切替信号Ｓｓｅがハイレベルのときには、ｃ接点がａ接点に接続される接続状態に移行し、切替信号Ｓｓｅがローレベルのときには、ｃ接点がｂ接点に接続される接続状態に移行する。また、スイッチ３４は、ｃ接点に開始信号出力回路３２Ａから開始信号Ｓｔｃが供給され、ａ接点が交流信号源３１ｃに接続されている。この構成により、開始信号出力回路３２Ａは、開始信号Ｓｔｃについては、切替信号Ｓｓｅがハイレベルのときにはａ接点を経由して交流信号源３１ｃに出力し、切替信号Ｓｓｅがローレベルのときには交流信号源３１ｃへの出力を停止する。なお、図示はしないが、開始信号出力回路３２Ａにスイッチ３４を含める構成を採用して、開始信号出力回路３２Ａが、切替信号Ｓｓｅがハイレベルのときには、各開始信号Ｓｔａ，Ｓｔｂ，Ｓｔｃを対応する交流信号源３１ａ，３１ｂ，３１ｃに直接出力し、切替信号Ｓｓｅがローレベルのときには、各開始信号Ｓｔａ，Ｓｔｂを対応する交流信号源３１ａ，３１ｂに直接出力すると共に、開始信号Ｓｔｃの交流信号源３１ｃへの直接出力を停止するようにすることもできる。
【００６６】
次に、消磁回路１３Ａ、電流測定装置１Ａおよび電力測定装置ＰＭ２の動作について、図面を参照して説明する。なお、以下では、電力測定装置ＰＭ２の特徴的な構成である消磁回路１３Ａの動作を主として説明する。
【００６７】
最初に、上記の電力測定装置ＰＭ１と同様にして、図４に示すように、各電流センサ１１ａ，１１ｂ，１１ｃが各電線Ｌａ，Ｌｂ，Ｌｃに装着（クランプ）され、かつ各電圧プローブ４１ａ，４１ｂ，４１ｃ，４１ｎが電線Ｌａ，Ｌｂ，Ｌｃおよび中性線Ｌｎに接続されて、電力測定装置ＰＭ２が３チャンネル電力測定装置の形態で動作するときについて説明する。
【００６８】
この３チャンネル電力測定装置の形態のときには、切替信号Ｓｓｅがハイレベルであることから、操作スイッチ３３が操作されたときには、開始信号出力回路３２Ａは、図６に示すように、交流信号源３１から出力される交流減衰信号Ｓｓの周期Ｔの１周期分に相当する時間内に、開始信号Ｓｔａを１回出力し、開始信号Ｓｔａの立ち上がりのタイミングから交流減衰信号Ｓｓの周期Ｔの１／３だけ遅れたタイミングで開始信号Ｓｔｂを１回出力し、かつ開始信号Ｓｔｂの立ち上がりのタイミングから交流減衰信号Ｓｓの周期Ｔの１／３だけ遅れたタイミングで開始信号Ｓｔｃ（開始信号Ｓｔａとは論理が逆の信号）を１回出力する。また、スイッチ３４では、ｃ接点がａ接点に接続されているため、開始信号Ｓｔｃは、開始信号出力回路３２Ａから交流信号源３１ｃに出力される。
【００６９】
また、交流信号源３１ａは、開始信号Ｓｔａの立ち上がりのタイミングに合わせて、流減衰信号Ｓｓａの出力を開始する。また、交流信号源３１ｂは、開始信号Ｓｔｂの立ち上がりのタイミングに合わせて、交流減衰信号Ｓｓｂの出力を開始する。また、交流信号源３１ｃは、開始信号Ｓｔｃの立ち上がりのタイミングに合わせて、交流減衰信号Ｓｓｃの出力を開始する。これにより、交流減衰信号Ｓｓｂは、交流減衰信号Ｓｓａに対して時間Ｔ／３だけ遅れて出力され、また交流減衰信号Ｓｓｃは、交流減衰信号Ｓｓｂに対して時間Ｔ／３だけ遅れて出力される。
【００７０】
したがって、この消磁回路１３Ａによれば、各交流減衰信号Ｓｓａ，Ｓｓｂ，Ｓｓｃを同タイミングで印加する構成とは異なり、各交流減衰信号Ｓｓａ，Ｓｓｂ，Ｓｓｃを出力する各交流信号源３１ａ，３１ｂ，３１ｃでの消費電力のピークが重ならない（揃わない）ことから、各交流信号源３１ａ，３１ｂ，３１ｃに供給する電力のピーク値を大幅に低下させることができ、これにより、電力測定装置ＰＭ２が３チャンネル電力測定装置の形態のときの消磁回路１３Ａの電源容量、ひいてはこの消磁回路１３Ａを有する電流測定装置１Ａの電源容量、さらにはこの電流測定装置１Ａを有する電力測定装置ＰＭ２の電源容量を大幅に低減することができる。
【００７１】
次に、図４に示す状態から、電流センサ１１ｃを電線Ｌｃから取り外すと共に、電圧プローブ４１ｃを電線Ｌｃから取り外して、電力測定装置ＰＭ２が２チャンネル電力測定装置の形態で動作するときについて説明する。
【００７２】
この２チャンネル電力測定装置の形態のときには、切替信号Ｓｓｅがローレベルであることから、操作スイッチ３３が操作されたときには、開始信号出力回路３２Ａは、図７に示すように、交流信号源３１から出力される交流減衰信号Ｓｓの周期Ｔの１周期分に相当する時間内に、開始信号Ｓｔａを１回出力し、開始信号Ｓｔａの立ち上がりのタイミングから交流減衰信号Ｓｓの周期Ｔの１／４だけ遅れたタイミングで開始信号Ｓｔｂを１回出力し、かつ開始信号Ｓｔｂの立ち上がりのタイミングから交流減衰信号Ｓｓの周期Ｔの１／４だけ遅れたタイミングで開始信号Ｓｔｃ（開始信号Ｓｔａとは論理が逆の信号）を１回出力する。なお、スイッチ３４では、ｃ接点がｂ接点に接続されているため、開始信号Ｓｔｃは、開始信号出力回路３２Ａから交流信号源３１ｃには出力されない。
【００７３】
このため、交流信号源３１ａは、開始信号Ｓｔａの立ち上がりのタイミングに合わせて、流減衰信号Ｓｓａの出力を開始し、交流信号源３１ｂは、開始信号Ｓｔｂの立ち上がりのタイミングに合わせて、交流減衰信号Ｓｓｂの出力を開始するが、交流信号源３１ｃは交流減衰信号Ｓｓｃの出力を開始しない。これにより、交流減衰信号Ｓｓｂは、交流減衰信号Ｓｓａに対して時間Ｔ／４だけ遅れて出力される。
【００７４】
したがって、この消磁回路１３Ａによれば、各交流減衰信号Ｓｓａ，Ｓｓｂを同タイミングで印加する構成とは異なり、各交流減衰信号Ｓｓａ，Ｓｓｂを出力する各交流信号源３１ａ，３１ｂでの消費電力のピークが重ならない（揃わない）ことから、各交流信号源３１ａ，３１ｂに供給する電力のピーク値を大幅に低下させることができる。また、使用しない電流センサ１１ｃへの交流減衰信号Ｓｓｃの出力を回避することができることから、交流信号源３１ｃに供給する電力についても大幅に低下させることができる。これにより、電力測定装置ＰＭ２が２チャンネル電力測定装置の形態のときの消磁回路１３Ａの電源容量、ひいてはこの消磁回路１３Ａを有する電流測定装置１Ａの電源容量、さらにはこの電流測定装置１Ａを有する電力測定装置ＰＭ２の電源容量を大幅に低減することができる。
【００７５】
特に、この消磁回路１３Ａによれば、電力測定装置ＰＭ２が２チャンネル電力測定装置の形態のときに、交流減衰信号Ｓｓａに対して時間Ｔ／４だけ遅らせて交流減衰信号Ｓｓｂを出力させることができるため、交流減衰信号Ｓｓｂのピークを交流減衰信号Ｓｓａの零クロス点（振幅が零になる点）に揃えることができることから、消磁回路１３Ａの電源容量、ひいてはこの消磁回路１３Ａを有する電流測定装置１Ａの電源容量、さらにはこの電流測定装置１Ａを有する電力測定装置ＰＭ２の電源容量を一層大幅に低減することができる。なお、電力測定装置ＰＭ２が２チャンネル電力測定装置の形態のときに、交流減衰信号Ｓｓｂを交流減衰信号Ｓｓａに対してずらす時間は、上記の時間Ｔ／４に限定されるものではなく、各交流減衰信号Ｓｓａ，Ｓｓｂのピークが重ならない任意の時間にすることができ、例えば、電力測定装置ＰＭ２が３チャンネル電力測定装置の形態のときに、各交流減衰信号Ｓｓａ．Ｓｓｂをずらす時間（時間Ｔ／３）と同じ時間にすることもできる。
【００７６】
なお、上記の消磁回路１３，１３Ａでは、各交流減衰信号Ｓｓａ，Ｓｓｂ，Ｓｓｃのピークがいずれも重ならない（いずれも揃わない）ように開始信号Ｓｔａ，Ｓｔｂ，Ｓｔｃをずらす時間を規定する好ましい構成を採用しているが、ずらす時間はどのような時間であっても、交流減衰信号Ｓｓａに対して交流減衰信号Ｓｓｂおよび交流減衰信号Ｓｓｃを異なる時間だけずらして出力させ得る時間であればよく、これにより、各交流減衰信号Ｓｓａ，Ｓｓｂ，Ｓｓｃの最大ピークＰｍａｘ（図３，６，７参照）を確実にずらすことができる。各交流減衰信号Ｓｓをずらす時間をこのような時間に規定することで、仮に、各交流減衰信号Ｓｓのうちの少なくとも１つの交流減衰信号Ｓｓにおいて、その正側のピークおよびその負側のピークのうちのいずれかのピークが、他の交流減衰信号Ｓｓの正側のピークおよび負側のピークのいずれかと重なる（揃う）構成になったとしても、すべての交流減衰信号Ｓｓを同時に出力する構成（つまり、各交流減衰信号Ｓｓａ，Ｓｓｂ，Ｓｓｃの最大ピークＰｍａｘがすべて揃う構成）と比較して、各交流信号源３１での消費電力をより少なくすることができ、その結果として、消磁回路１３の電源容量などを確実に低減させることができる。したがって、各交流減衰信号Ｓｓを均等に（同じ周期で）ずらす構成に代えて、不均等に（異なる周期で）ずらす構成を採用することもできる。
【００７７】
また、電力測定装置ＰＭ２を２チャンネル電力測定装置の形態に切り替えたときには、単相２線式の交流電路についての１つの相電圧、および１つの相電流を測定すると共に、これらに基づいてこの交流電路に供給されている電力を測定する用途にも使用することができるのは勿論である。
【符号の説明】
【００７８】
１、１Ａ  電流測定装置
２  電圧測定装置
１１ａ，１１ｂ，１１ｃ  電流センサ
１３  消磁回路
２１  磁気コア
２５  帰還コイル
３１  交流信号源
３２，３２Ａ  開始信号出力回路
Ｉ１，Ｉ２，Ｉ３  相電流
Ｌａ，Ｌｂ，Ｌｃ  電線
ＰＬ  交流電路
ＰＭ１，ＰＭ２  電力測定装置
Ｓｓａ，Ｓｓｂ，Ｓｓｃ  交流減衰信号
Ｓｔａ，Ｓｔｂ，Ｓｔｃ  開始信号
Ｔ  周期
Ｕ１，Ｕ２，Ｕ３  相電圧
Ｖｉａ，Ｖｉｂ，Ｖｉｃ  電圧信号
【図１】
2014178307.tif 000003
【図２】
2014178307.tif 000004
【図３】
2014178307.tif 000005
【図４】
2014178307.tif 000006
【図５】
2014178307.tif 000007
【図６】
2014178307.tif 000008
【図７】
2014178307.tif 000009